(57)【要約】【課題】  校正指示を付加した画像をデータとして校正側端末に送信するにあたり、該画像が拡大又は縮小されてデータ化されても容易に該画像の実際上の寸法を認識させ、校正指示を適切に把握できる技術を提供する。【解決手段】  校正システムにおいて、校正側端末から送信されたカンプ用画像データ又は印刷用画像データに基づき画像形成装置にてカンプ用画像又は印刷用画像を出力し、出力したカンプ用画像又は印刷用画像に校正指示が付加された校正指示画像を変換手段にて光電変換してデータ化し、データ化された校正指示画像データ上に目盛作成手段によって目盛データを作成して目盛付校正指示画像データを生成して、該目盛付校正指示画像データを校正側端末に送信するようにした。【選択図】      図２
2006054664.tif 000002
【特許請求の範囲】
【請求項１】
校正側端末から送信された画像データに基づいて校正指示を行う校正システムであって、
前記校正側端末から送信された前記画像データに基づき画像を出力する出力手段と、
前記出力手段により出力された前記画像とこの画像に付加された校正指示を含む校正指示画像を光電変換して校正指示画像データを生成する変換手段と、
前記変換手段により得た校正指示画像データ上に目盛データを作成して目盛付校正指示画像データを生成する目盛作成手段と、
前記目盛付校正指示画像データを前記校正側端末に送信する送信手段と、
を備えること、
を特徴とする校正システム。
【請求項２】
前記変換手段は、
拡大又は縮小して前記校正指示画像データを生成し、
前記目盛作成手段は、
前記変換手段の拡大率または縮小率に基づき、前記校正指示画像の実寸法を校正指示画像データの寸法に換算した目盛データを作成して、目盛付校正指示画像データを生成すること、
を特徴とする請求項１に記載の校正システム。
【請求項３】
校正側端末から画像データが送信され、該画像データに基づいて画像形成装置に画像を出力させるとともに、変換装置による光電変換により生成された校正指示画像データが送信される校正制御装置であって、
前記変換装置により生成された前記校正指示画像データ上に目盛データを作成して目盛付校正指示画像データを生成する目盛作成手段と、
前記目盛付校正指示画像データを前記校正側端末に送信する送信手段と、
を備えること、
を特徴とする校正制御装置。
【請求項４】
前記変換装置は、
拡大又は縮小して前記校正指示画像を生成し、
前記目盛作成手段は、
前記変換装置の拡大率または縮小率に基づき、校正指示画像の実寸法を校正指示画像データの寸法に換算した目盛データを作成して、目盛付校正指示画像データを生成すること、
を特徴とする請求項３に記載の校正制御装置。
【請求項５】
校正側端末から送信された画像データに基づいて校正指示を行う校正方法であって、
前記校正端末から送信された前記画像データに基づいて画像を出力し、
出力された前記画像と前記画像に付加された校正指示を含む校正指示画像を光電変換して校正指示画像データを生成し、
生成された校正指示画像データ上に目盛データを作成して目盛付校正指示画像データを生成し、
前記目盛付校正指示画像データを前記校正側端末に送信すること、
を特徴とする校正方法。
【請求項６】
前記校正指示画像データの生成は、
拡大又は縮小して生成し、
前記目盛付校正指示画像データの生成は、
前記校正指示画像データ生成時の拡大率または縮小率に基づき、校正指示画像の実寸法を校正指示画像データの寸法に換算した目盛データを作成して目盛付校正指示画像データを生成すること、
を特徴とする請求項５に記載の校正方法。
【請求項７】
コンピュータにより構成された校正制御装置に対し、校正側端末から送信された画像データに基づいて画像形成装置に画像を出力させる処理を実行させるとともに、変換装置により光電変換されて生成された校正指示画像データを受信する処理を実行させる校正処理プログラムであって、
前記校正制御装置に対し、
前記変換装置により光電変換されて生成された前記校正指示画像データ上に目盛データを作成して目盛付校正指示画像データを生成する処理を実行させ、
前記目盛付校正指示画像データを前記校正側端末に送信する処理を実行させること、
を特徴とする校正処理プログラム。
【請求項８】
コンピュータにより構成された校正制御装置に対し、校正側端末から送信された画像データに基づいて画像形成装置に画像を出力させる処理を実行させるとともに、変換装置により拡大又は縮小して光電変換して生成された校正指示画像データを受信する処理を実行させる校正処理プログラムであって、
前記校正制御装置に対し、
前記変換装置により生成された前記校正指示画像データ上に、光電変換時の拡大率または縮小率に基づき、校正指示画像の実寸法を読み取り後の校正指示画像データの寸法に換算した目盛データを作成して、目盛付校正指示画像データを生成する処理を実行させ、
前記目盛付校正指示画像データを前記校正側端末に送信する処理を実行させること、
を特徴とする校正処理プログラム。
【請求項９】
請求項７又は８記載の校正処理プログラムを、前記制御装置によって読み出し可能に記憶したことを特徴とする記憶媒体。
【発明の詳細な説明】
【技術分野】
【０００１】
本発明は、画像の校正指示を外部装置に送信する技術に関し、特に送信された校正指示を適切に把握させる技術に関する。
【背景技術】
【０００２】
近年では、ＤＴＰ（Ｄｅｓｋ  Ｔｏｐ  Ｐｕｂｌｉｓｈｉｎｇ）等の普及により、スキャナから入力した画像をコンピュータのソフトウェア上で画像編集し、ページ面付けする作業が一般化し、フルディジタルでの編集も珍しくなくなってきている。さらに印刷製版工程では、そのページ面付け済みの画像データをフィルムに直接出力するイメージセッタ出力や、印刷版に直接画像記録を行うＣＴＰ（Ｃｏｍｐｕｔｅｒ  ｔｏ  Ｐｌａｔｅ）出力、さらには印刷機のシリンダー上に巻かれた印刷版に直接画像記録を行うＣＴＣ（Ｃｏｍｐｕｔｅｒ  ｔｏ  Ｃｙｌｉｎｄｅｒ）が行われる。
【０００３】
すなわち、近年では、画像入力から印刷版への画像記録に至るまでの多くがディジタル化し、伴って印刷工程で使用される機器のネットワーク化が進展している。
【０００４】
ここで、印刷工程のうち、画像作成や編集の工程には、印刷会社の画像作成や編集が印刷発注主所望の画像であるかの可否判断を仰ぐための、カラーカンプ作成工程やＤＣＰ（Ｄｉｇｉｔａｌ  Ｃｏｌｏｒ  Ｐｒｏｏｆ）作成工程が含まれる。画像の絵柄、色調、文章文字等の校正作業である。
【０００５】
従来の校正作業は、印刷会社でカラーカンプやＤＣＰを作成し、これを印刷発注主に郵送等の物理的輸送手段で輸送し、さらに、印刷発注主によりカラーカンプやＤＣＰに「赤入れ」と呼ばれる校正指示を書き込んだ上、物理的輸送手段で赤入れ戻しを行っていた。そして、印刷会社側で差し替えを行い、校了迄このサイクルが繰り返されていた。
【０００６】
一方、近年では、機器のネットワーク化、インターネットの普及、及びカラーレーザプリンタ等の汎用プリンタの高性能化が目覚しい。特に、カラーレーザプリンタの高画質化、高速化は、カラーカンプ用途やＤＣＰ用途の要求を満たし、かつ低価格化により導入し易い状況になってきている。
【０００７】
そこで、近年では、印刷会社の校正側端末から印刷発注主側へネットワークを介してカラーカンプやＤＣＰの画像データを送信し、印刷発注主側の画像形成装置にてカラーカンプやＤＣＰを出力し、赤入れ等の校正指示を書き入れてスキャナで読み取り、インターネット経由で印刷会社の端末に返すという、いわゆるリモート校正が試みられるようになってきた（例えば、特許文献１参照。）。
【０００８】
このリモート校正は、印刷発注主側に、制御装置を介してネットワークに接続されたカラーレーザプリンタ等の画像形成装置やスキャナを備えた校正システムが設置することで達成されるものである。カラーレーザプリンタとしては、例えば特開平５−４８８５７号公報に開示される電子写真方式のカラーレーザプリンタや、スキャナ・コピア・ファクシミリ機能を併せ持つ複合機等を挙げることができる。
【０００９】
リモート校正によると、印刷会社と印刷発注主間におけるカラーカンプやＤＣＰの輸送時間や輸送コストを実質的に排除することができ、迅速かつ低コストで校正作業が可能となる。
【００１０】
【特許文献１】特開２００３−１４３３９４号公報（段落［０００３］〜［０００４］）
【発明の開示】
【発明が解決しようとする課題】
【００１１】
このようなリモート校正では、出力した画像に赤入れによる校正指示を付加して、校正指示を付加した画像をスキャナで読み込んでデータ化する作業が、印刷発注主により行われる。このとき、印刷発注主による当該画像の読み込みは、印刷発注主の任意によるスキャナの読取解像度の設定のもとに行われ、また任意の拡大又は縮小の設定のもとに行われることがある。読み込んだ画像のデータ量が膨大になることがあるからである。例えば、Ａ３サイズの画像であると、そのデータ量は少なくとも１０ＭＢ（メガバイト）になり、校正の対象が雑誌等であると、その枚数分増加することになる。
【００１２】
しかし、校正指示が付加された画像を読み込んだ、その読み込み解像度や拡大又は縮小の情報は、校正指示を付加した画像が送られた校正側端末側で知ることができない。よって、このようなリモート校正においては、従来の出力した画像を郵送等により往来させる校正作業に比べ、校正指示がされた実際の画像や校正指示の内容を、校正側端末でイメージするのが難しいという問題があった。
【００１３】
校正作業においては、主に画像内のオブジェクトの大きさや配置位置、見当など精度を含めたレイアウトが指定通りになっているかの校正確認を行い、それらの校正指示を行う絵柄校正の作業がある。特に、この絵柄校正においては、印刷発注主の読み込み解像度や拡大率又は縮小率が不明であると、実際上のオブジェクトを画像全体に比しどの程度の大きさに拡大又は縮小すればよいか等がイメージしにくいものとなり、校正指示を適切に把握することが困難である。
【００１４】
また、校正指示の把握の困難性ゆえ、リモート校正による校正作業には、幾度にも同じ校正指示に基づく画像データの往来が伴うおそれがあり、その利便性を損ねていた。
【００１５】
本発明は、上述した課題を鑑みてなされたものであり、その目的とするところは、校正指示を付加した画像を校正側端末に送信するにあたり、該画像が拡大又は縮小されても容易に該画像の実際上の寸法を認識させ、校正指示を適切に把握できる技術を提供することにある。
【課題を解決するための手段】
【００１６】
上記課題を解決するために、請求項１記載の発明は、校正側端末から送信された画像データに基づいて校正指示を行う校正システムであって、前記校正側端末から送信された前記画像データに基づき画像を出力する出力手段と、前記出力手段により出力された前記画像とこの画像に付加された校正指示を含む校正指示画像を光電変換して校正指示画像データを生成する変換手段と、前記変換手段により得た校正指示画像データ上に目盛データを作成して目盛付校正指示画像データを生成する目盛作成手段と、前記目盛付校正指示画像データを前記校正側端末に送信する送信手段と、を備えること、を特徴とする。
【００１７】
また、請求項３記載の発明は、校正側端末から画像データが送信され、該画像データに基づいて画像形成装置に画像を出力させるとともに、変換装置による光電変換により生成された校正指示画像データが送信される校正制御装置であって、前記変換装置により生成された前記校正指示画像データ上に目盛データを作成して目盛付校正指示画像データを生成する目盛作成手段と、前記目盛付校正指示画像データを前記校正側端末に送信する送信手段と、を備えること、を特徴とする。
【００１８】
また、請求項５記載の発明は、校正側端末から送信された画像データに基づいて校正指示を行う校正方法であって、前記校正端末から送信された前記画像データに基づいて画像を出力し、出力された前記画像と前記画像に付加された校正指示を含む校正指示画像を光電変換して校正指示画像データを生成し、生成された校正指示画像データ上に目盛データを作成して目盛付校正指示画像データを生成し、前記目盛付校正指示画像データを前記校正側端末に送信すること、を特徴とする。
【００１９】
また、請求項７記載の発明は、コンピュータにより構成された校正制御装置に対し、校正側端末から送信された画像データに基づいて画像形成装置に画像を出力させる処理を実行させるとともに、変換装置により光電変換されて生成された校正指示画像データを受信する処理を実行させる校正処理プログラムであって、前記校正制御装置に対し、前記変換装置により光電変換されて生成された前記校正指示画像データ上に目盛データを作成して目盛付校正指示画像データを生成する処理を実行させ、前記目盛付校正指示画像データを前記校正側端末に送信する処理を実行させること、を特徴とする。
【００２０】
また、校正指示画像の読み取りは拡大又は縮小して読み取り、目盛付校正指示画像の生成は、読み取り時の拡大率または縮小率に基づき、読み取り前の校正指示画像の実寸法を読み取り後の校正指示画像の寸法に換算した縮尺目盛を付加して生成するようにしてもよい（請求項２，４，６，８記載の発明に相当）。
【００２１】
また、請求項９記載の発明は、請求項７又は８記載の校正処理プログラムを、記憶媒体に前記制御装置によって読み出し可能に記憶するようにしてもよい。
【発明の効果】
【００２２】
本発明に係る校正システム、校正制御装置、校正方法、校正処理プログラム、及び、そのプログラムを記憶した記憶媒体によれば、校正指示画像を光電変換して、この光電変換により得られた校正指示画像データ上に目盛データを作成して目盛付校正指示画像データを生成して、該目盛付校正指示画像データを校正側端末に送信するようにした。このようにすることで、校正指示画像の実寸法が認識でき、適切に校正指示を把握することができる。また、この目盛データを座標代わりに使用することにより修正位置の特定が容易となる。
【発明を実施するための最良の形態】
【００２３】
以下、本発明に係る校正システム、校正制御装置、校正方法、校正処理プログラム、及び、そのプログラムを記憶した記憶媒体の好適な一実施形態について、図面を参照しながら具体的に説明する。図１は、本実施形態に係る校正システムの一実施形態における全体構成を表す構成図である。図２は、図１に示す校正制御装置の詳細構成を表す機能ブロック図である。図３は、図１に示す校正システムにおいて行われる印刷製版業務の一連の流れについて説明するためのフローチャートである。図４は、本実施形態における校正指示画像の説明図である。図５は、本実施形態おいて校正側端末に送信される目盛付校正指示画像を示す図である。
【００２４】
まず、本実施形態における校正システムのシステム構成について図１に基づき詳細に説明する。校正システムは、主に印刷発注主側に設置された校正制御装置たる制御装置２とカラーレーザプリンタ３等の画像形成装置を少なくとも含む。さらに、この校正システムに、印刷会社側の校正側端末１を空間上分離して設置することができ、ＬＡＮやインターネット等の公衆回線や専用回線等のネットワークを介して印刷発注主側と接続されている。
【００２５】
校正側端末１は、例えば画像編集が可能なコンピュータで構成されており、画像編集や校正等を行う。この校正側端末１には、主に校正側端末１が設置される印刷会社内にて、印刷用画像データにＲＩＰ処理を施すＣＴＰ用ＲＩＰ４や、印刷用画像データを印刷会社内にてＤＣＰ用途で出力するためのＤＣＰ作成装置（図示せず）や、印刷用画像データに基づいて印刷用画像を出力するためのＣＴＰ（図示せず）に接続されている。
【００２６】
この校正側端末１は、カンプ用途の場合、画像編集後にＰｏｓｔＳｃｒｉｐｔで記述されたカンプ用画像データを制御装置２へ送信する。カンプ用画像データは、ページ面付前の単ページ画像のデータである。
【００２７】
また、ＤＣＰ用途の場合、画像編集後にＰｏｓｔＳｃｒｉｐｔで記述された印刷用画像データを、ＣＴＰ用ＲＩＰ経由で制御装置２に送信し、又は制御装置２に校正側端末１から直接送信する。印刷用画像データは、面付け作業が行われた画像のデータであり、面付け作業とは、製版フィルムを的に印刷して折り丁にしたときにノンブルが順に並ぶように、写真やイラスト等の画像を１６ページ単位、或いは８ページ単位や４ページ単位で、印刷機にかける用紙のサイズに合わせて貼り合わせる作業のことである。
【００２８】
制御装置２は、例えばコンピュータにより構成されており、カンプ用途のカンプ用画像データ又はＤＣＰ用途の印刷用画像データに基づきカンプ用画像又は印刷用画像をカラーレーザプリンタ３に出力させる。この制御装置２は、校正側端末１からネットワークを介して送信されたカンプ用画像データやＤＣＰ用途の印刷用画像データ、又はＣＴＰ用ＲＩＰ４から送信されたＤＣＰ用途の印刷用画像データにＲＩＰ処理を施す。尚、ＣＴＰ用ＲＩＰ４から送信された印刷用画像データがＲＩＰ処理済である場合には、制御装置２ではＲＩＰ処理を施さない。ＲＩＰ処理は、ＰｏｓｔＳｃｒｉｐｔで記述された画像データを解釈して、当該画像データをカラーレーザプリンタ３等の画像形成装置の出力解像度に合わせたラスター画像データ、すなわち点の集まりであるビットマップのデータに変換するものであり、いわゆるラスタライズである。
【００２９】
尚、本実施形態でいう画像とは、記録用紙上に出力された画像そのものを指し、画像データとは、コンピュータにより解釈可能なデジタルデータで所定の画像を示すデータである。つまり、画像データを対象にした処理は全てデータ処理であり、各種装置のコンピュータ資源により行われるものである。
【００３０】
制御装置２は、更に、ラスター画像データを網点画像データに変換する網点化処理を行う。そして、網点画像データの出力指示や、出力する網点画像のサイズ及び出力方向を指定する情報等を出力制御情報として、網点画像データと共にカラーレーザプリンタ３に送信する。網点画像データは、カラーレーザプリンタ３の出力解像度に合わせて網点で構成される画像データであり、特にカラーレーザプリンタ３においてレーザの出力強度が所定段数に可変する場合には、多値の網点で構成される。
【００３１】
また、制御装置２は、カラーレーザプリンタ３のスキャナ機能により画像が光電変換して得られた画像データに対し、目盛データの作成処理を行い、処理後の画像データを適切な形式に変換後、校正側端末１に送信する。目盛データは、画像データの解像度、及び拡大率又は縮小率に応じた目盛間隔で作成され、画像データに、画像の実寸法を反映させる。すなわち、画像データの解像度や変換時の拡大率又は縮小率に基づいて拡大又は縮尺の目盛を作成して、画像の実寸法が認識できるようにしている。
【００３２】
カラーレーザプリンタ３は、図２に示すように、電子写真方式の出力部３１や、イメージスキャナ等の変換部３２を備えるマルチファンクションプリンタであって、互いに異なるサイズの記録用紙を互いに異なる出力方向（縦置きと横置き）に収納する複数の給紙カセット（図示せず）と、この給紙カセットの各々に収納される記録用紙のサイズ及び出力方向を記憶する記憶手段（図示せず）等を備える画像形成装置である。このカラーレーザプリンタ３は、制御装置２から送信された出力制御情報に従って、該当するサイズ及び出力方向の記録用紙を該当する給紙カセットから給紙して、その記録用紙にカンプ用画像データに基づくカンプ用画像や、印刷用画像データに基づく印刷用画像の出力を行う。
【００３３】
ＣＴＰ用ＲＩＰ４は、ＤＣＰ作成を行う際やＣＴＰを行う際に印刷用画像データにＲＩＰ処理を施すものであり、ＤＣＰ作成をカラーレーザプリンタ３にて行う場合に、このＣＴＰ用ＲＩＰ４が経由される場合がある。この場合、ＣＴＰ用ＲＩＰ４は、必要に応じてＲＩＰ処理を施すようにしてもよいし、ＲＩＰ処理を施さず、印刷用画像データを制御装置２へ送信するようにしてもよい。
【００３４】
尚、校正側端末１、制御装置２、ＣＴＰ用ＲＩＰ４は、各々、コンピュータ端末として動作するものであって、コンピュータ本体、マウスやキーボード、モニタ等のマンマシンインターフェースを備え、特に制御装置２には、ＲＯＭ若しくはＨＤＤに記憶されている校正処理プログラムにより本実施形態の各処理が実行される。さらに、校正側端末１は、画像編集を行うための編集プログラム、イメージスキャナ等の必要な画像入力機器を備えている。
【００３５】
次に、制御装置２の構成を詳細に説明する。まず、図２に示すように、制御装置２は、出力部３１及び変換部３２を少なくとも備えるカラーレーザプリンタ３と接続されている。この制御装置２は、他装置と送受信を行う構成と、出力用の画像データを生成する構成と、変換部３２によりデータに変換された画像データ上に目盛データを作成する構成を備える。
【００３６】
他装置と送受信を行う構成は、校正側端末１やＣＴＰ用ＲＩＰ４との画像データの送受信、及びカラーレーザプリンタ３との画像データの送受信を行う送受信部２１と、送受信部２１で受信した画像データを保存する画像データ保存部２２とを備える。
【００３７】
出力用の画像データを生成する構成は、校正側端末１やＣＴＰ用ＲＩＰ４より送信された画像にＲＩＰ処理を施すＲＩＰ処理部２３を備え、さらに網点化処理を施す網点基準データ記憶部２４及び網点化部２５を備える。
【００３８】
画像データ上に目盛データを作成する構成は、カラーレーザプリンタ３の変換部３２が画像を画像データに変換する際の読取条件を生成する読取条件生成部２６と、変換部３２により変換されて得られた画像データ上に目盛データを作成する目盛作成部２７を備える。
【００３９】
これら各構成は、制御装置２が、図示しないＣＰＵ、ＲＯＭ、ＲＡＭ、ＨＤＤ、Ｉ／Ｆを有し、ＲＯＭまたはＨＤＤに記憶された校正処理プログラムを実行し、ＣＰＵが演算を行いつつ、Ｉ／Ｆによって適宜他の装置とデータの入出力を行うことによって実現する。また、図示しない表示画面やマウス・キーボード等のマンマシンインターフェースを備え、利用者の操作が可能である。勿論、各構成を専用回路で構成することを妨げるものではない。
【００４０】
送受信部２１は、例えばＩ／Ｆを含み、他の装置と画像データの送受信を行う。送受信部２１が受信する画像データとしては、校正側端末１から送信されるカンプ用画像データ、校正側端末１又はＣＴＰ用ＲＩＰ４から送信される印刷用画像データがある。これら画像データは、印刷発注主側へ校正指示を仰ぐために送られる画像データである。
【００４１】
また、送受信部２１が受信する画像データには、カラーレーザプリンタ３の変換部３２により変換されて得られた画像データであって、校正指示が付加された画像のデータ（以下、「校正指示画像データ」という）がある。図４に示すように、この校正指示画像データ５は、出力されたカンプ用画像や印刷用画像に印刷発注主が赤入れ等にて校正指示が書き込まれた校正指示画像をデータ化した画像データである。図４は、校正指示画像データの一例を示し、赤入れによって校正指示画像から作成されている。赤入れは、出力されたカンプ用画像や印刷用画像に赤インクや赤鉛筆等で校正指示を書き込むものであり、校正指示画像データは、この赤入れがされたカンプ用画像や印刷用画像をデータ化したものである。
【００４２】
送受信部２１が送信する画像データとしては、カラーレーザプリンタ３の出力部３１へ送信する網点画像データがある。この網点画像データは、ＲＩＰ処理部２３のＲＩＰ処理の後、網点基準データ記憶部２４及び網点化部２５による網点化により生成される画像データであり、印刷発注主の校正確認を出力した網点画像で行うため、カラーレーザプリンタ３に送られる。また、校正側端末１へ送信する目盛付校正指示画像データがある。図５に示すように、この目盛付校正指示画像データ７は、目盛作成部２７と読取条件生成部２６により校正指示画像データ５上に目盛データ６を作成した画像データであり、校正側端末１に送信される。この目盛付校正指示画像データ７により、校正側端末１では、校正指示画像が画像データに変換される際の拡大率又は縮小率を認識していなくとも、校正指示がされた画像内オブジェクトの実際上の大きさを認識できる。特に校正が絵柄校正に関するものであり、例えば所定の領域を拡大する校正指示の場合、目盛付校正指示画像データ７から印刷発注主が所望する校正指示領域の拡大率を、他の領域と比した相対的な比較からではなく、絶対的な基準で認識できる。
【００４３】
尚、校正指示画像のデータ化の際には、読取条件生成部２６において生成された読取条件に従って変換が行われ、従って送受信部２１は、読取条件生成部２６が生成した読取条件をカラーレーザプリンタ３に送信する。
【００４４】
すなわち、校正システムにおける各種画像データの流れは、１．校正側端末１又はＣＴＰ用ＲＩＰ４からカンプ用画像データ若しくは印刷用画像データが送られ、網点画像データを生成した後に当該網点画像データをカラーレーザプリンタ３に送信する。そして、２．網点画像データに基づき網点画像をカラーレーザプリンタ３が出力し、この出力された網点画像に校正指示が付加され、校正指示画像としてカラーレーザプリンタ３の変換部３２に変換されて校正指示画像データ５が得られる。３．校正指示画像データ５上には、制御装置２において目盛データ６が作成されて目盛付校正指示画像データ７として校正側端末１に送られる。以上の３つに大別される。
【００４５】
画像データ保存部２０は、例えばＲＡＭを含み、校正側端末１から受信したカンプ用画像データや、校正側端末１若しくはＣＴＰ用ＲＩＰ４から受信した印刷用画像データを保存し、またカラーレーザプリンタ３から送信された校正指示画像データ５を保存する。
【００４６】
ＲＩＰ処理部２１は、例えばＣＰＵを含む。このＲＩＰ処理部２１は、カンプ用画像データ、又は印刷用画像データの記述内容を順次読み出し、順次ＲＩＰ処理を施して、最終的にカンプ用画像データ又は印刷用画像データからラスター画像データを生成する。ラスター画像データは、ＣＭＹＫの４色および金色や銀色等の特別色（以下、「特色」ともいう）１，２の色版別に生成され、カラーレーザプリンタ３の出力解像度にあわせた画素で構成されるビットマップデータであり、画素のそれぞれに、その画像の階調値を示す濃度値データが割り振られる。
【００４７】
網点基準データ記憶部２２には、例えばＨＤＤを含む。この網点基準データ記憶部２２は、色版別の網点基準データが予め記憶されている。網点基準データは、印刷用画像を多値の網点で形成する際に使用されるものであり、複数の閾値データをマトリックス状に配した閾値マトリックスで構成されるものである。この網点基準データは、網点の形状、網点配列角度、線数、及び網点の濃度に基づいて閾値データが配されている。
【００４８】
網点化部２５は、例えばＣＰＵを含む。この網点化部２５は、ＲＩＰ処理部２３が順次施すＲＩＰ処理を追って、色版別のラスター画像データ上に上述の網点基準データを当てはめ、順次網点を形成していき、色版別の多値の網点画像データを生成する。多値の網点画像データは、カラーレーザプリンタ３のレーザ露光量の出力強度の可能段数に応じた濃度が割り振られた網点で構成される画像データである。網点化部２５は、網点基準データ記憶部２４に記憶されている網点基準データを読み出し、これを所定範囲の画素群の各画素の濃度値データと対応する閾値データと比較し、この比較結果によって、出力強度に基づく出力データを各画素に割り振る。この結果、各画素には、出力無から所定の出力強度での出力有までのデータが割り振られ、一つの網点が形成され、かつ、その網点自体の濃度が規定される。
【００４９】
上述の各構成は、図示しないクロック生成部に同期しながら順次カンプ画像データや印刷用画像データの記述内容を読み出し、同時並行的に、ＲＩＰ処理を施してラスター画像データとし、ラスター画像データに網点化処理を施して網点画像データを生成する。終局的には、各処理は、ＣＭＹＫ、特色１，２の色版別のカンプ画像データや印刷用画像データ全範囲に行われる。
【００５０】
読取条件生成部２６は、例えば、ＣＰＵを含む。この読取条件生成部２６は、カラーレーザプリンタ３の変換部３２が校正指示画像データを得る際の諸条件を利用者に設定させ、その設定に基づき読取条件を生成するものである。読取条件生成部２６は、図示しないマンマシンインターフェースにより、変換部３２の解像度、校正指示画像５の拡大率又は縮小率を設定させる。ここで設定された解像度と拡大率又は縮小率をカラーレーザプリンタ３が解釈できるデータとして読取条件を生成するものである。
【００５１】
目盛作成部２７は、例えばＣＰＵを含む。この目盛作成部２７は、図５に示すように、校正指示画像データ５上に目盛データ６を作成して、目盛付校正指示画像データ７を生成するものである。図５は、目盛付校正指示画像データ７の一例を示すものであり、図５（ａ）は、校正指示画像データ５の周囲に目盛データ６を作成することによって目盛付校正指示画像データ７を生成したものであり、図５（ｂ）は、校正指示画像データ５上にマトリックス状に目盛データ６を合成して目盛付校正指示画像データ７を生成したものである。
【００５２】
この目盛作成部２７は、校正指示画像の実寸法を、変換されて得た校正指示画像データ５の寸法に換算するため、拡大又は縮尺した目盛データ６を作成する。目盛データ６の拡大又は縮尺は、変換部３２が校正指示画像を変換する際の読取条件、すなわち読取条件生成部２６により生成された読取条件に基づいて決定される。目盛作成部２７は、読取条件生成部２６から校正指示画像データ５を得た際の解像度を取得し、さらに校正指示画像データ５を得た際の拡大率又は縮小率を取得する。この解像度と拡大率又は縮小率によって、校正指示画像データ５上に作成する目盛データ６の間隔を決定する。すなわち、目盛作成部２７は、解像度から、所定寸法に対応する画素数を導き、この画素数に拡大率又は縮小率を掛けることにより、目盛データ６を付す間隔を画素数単位で決定する。
【００５３】
例えば、出力された校正指示画像の実寸法１インチに対応した目盛間隔で目盛データ６を作成するように設定され、かつ校正指示画像が３００ｄｐｉで変換され、変換の際に２０％に縮尺されていれば、目盛作成部２７は、校正指示画像データ５の画素６０個毎に目盛データ６を作成し、この目盛間隔が１インチを表すことを規定する。
【００５４】
この目盛データ６は、校正指示画像５の実寸法を目盛付校正指示画像データ７において認識させることを目的としたものである。このようにすることにより、５分の１のスケールとなって送信された目盛付校正指示画像データ７によっても、実際の校正指示画像の実寸法や絵柄校正における絵柄の大きさに対する校正指示も一目で理解できる。
【００５５】
このような校正システムは、カンプ用画像データにおける校正作業と、ＤＣＰ用途の印刷用画像データにおける校正作業において使用される。以下において、この校正システムがカンプ用画像データにおける校正作業に使用される場合を例にとり、その詳細動作を説明する。
【００５６】
まず、印刷発注主に依頼されている印刷用の画像をカンプ用画像データとして送信する必要があるか否かを判断し（Ｓ１００）、必要であれば（Ｓ１００，Ｙｅｓ）、カンプ用画像データを校正側端末１にて編集して、カンプ用画像データを制御装置２へ送信する（Ｓ１０１）。ここで、カンプ用画像データの送信の必要性は、印刷会社により判断され、初回の校正確認や、以前に受けた校正指示に基づいて校正された画像の校正確認等がある。
【００５７】
尚、カンプ用画像データを送信する必要がない場合は、次の印刷工程に移り、ＤＣＰ作成やＣＴＰが行われて、印刷版の作成が行われる。このとき、ＤＣＰ作成の工程に移る場合には、ＤＣＰ作成を印刷発注主内のカラーレーザプリンタ３で行われることがあり、ここで説明するカンプ用画像データの校正作業と同様の動作がなされる。
【００５８】
送信されたカンプ用画像データは、制御装置２において送受信部２１が受信し、画像データ保存部２２に保存される（Ｓ１０２）。
【００５９】
画像データ保存部２２にカンプ用画像データが保存されると、制御装置２が校正処理プログラムを起動することによって各構成が動作される。まず、ＲＩＰ処理部２３は、画像データ保存部２２に保存されているカンプ用画像データの記述内容を順次読み出し、カンプ用画像データに順次ＲＩＰ処理を施して、色版別のラスター画像データを生成する（Ｓ１０３）。
【００６０】
次に、ＲＩＰ処理部２３のＲＩＰ処理を追って、網点化部２５は、順次ラスター画像データに網点化処理を施して、色版別の網点画像データを生成する（Ｓ１０４）。このとき、網点化部２５は、網点基準データ記憶部２４から網点基準データを読み出し、ラスター画像データ内の所定範囲に存在する画素群にこの網点基準データを当てはめ、画素群の各画素に割り振られた濃度値データと網点基準データの閾値データとを比較して、所定の出力強度が付された網点を生成することにより、色版別の網点画像データを生成する。
【００６１】
網点化部２５により生成された色版別の網点画像データは、出力制御情報とともに送受信部２１に渡され、送受信部２１がこれら網点画像データ及び出力制御情報をカラーレーザプリンタ３に送信する（Ｓ１０５）。
【００６２】
色版別の網点画像データと出力制御情報を受けたカラーレーザプリンタ３は、図４に示すような、カンプ用画像データに基づきカンプ用画像を出力する（Ｓ１０６）。このカンプ用画像は、カラーカンプであり、カラーカンプは、色付きの仕上がり見本のことであり、ページ面付けされる写真やイラストのダミーとして印刷物に近い仕上がりイメージを見せることにより、デザインが企画・編集意図に沿ったものであるかどうかの検討や、クライアントの承諾を得るためなどに作成されるものである。即ち、この際に、印刷発注主によって、その文字校正や絵柄校正、色校正等の作業結果確認が行われる。
【００６３】
ここで、印刷発注主により問題があることが確認された場合には、その問題を修正する校正指示をカンプ用画像に書き込む、いわゆる赤入れを行い、校正指示画像を作成する（Ｓ１０７，Ｙｅｓ）。校正確認の上、カンプ用画像に問題がなく、校正指示画像が作成されなかった場合には（Ｓ１０７，Ｎｏ）、次の印刷工程に移る。
【００６４】
校正指示画像が作成された場合には、この校正指示画像をデータ化して校正側端末１に送信する処理がなされる。まず、このシステムの利用者によって、カラーレーザプリンタ３の変換部３２が備えるプラテン上に校正指示画像が置かれる。そして、利用者が光電変換を指示すると、まず、読取条件生成部２６は、マンマシンインターフェースを監視し、利用者に読取条件を設定させる。読取条件には、変換部３２による光電変換の解像度の設定、例えば、３００ｄｐｉで読み取る等の設定がなされ、次に光電変換する際の画像データの拡大率または縮小率の設定、例えば２０％に縮小する等の設定をさせる。これらが設定されると、読取条件生成部２６は、カラーレーザプリンタ３により解釈可能な読取条件を生成する（Ｓ１０８）。
【００６５】
この読取条件は、読取条件生成部２６から送受信部２１に渡され、送受信部２１によりカラーレーザプリンタ３に送信される。この送信された読取条件に従い、変換部３２は校正指示画像５を走査して校正指示画像を光電変換し、校正指示画像データ５を得る（Ｓ１０９）。
【００６６】
得られた校正指示画像データ５は、制御装置２に送信され（Ｓ１１０）、送受信部２１が受信し、校正指示画像データ５を画像データ保存部２２に保存する。画像データ保存部２２に校正指示画像データ５が保存されると、目盛作成部２７が起動して目盛データ６を校正指示画像データ５上に作成する処理がなされる。
【００６７】
この目盛データ６を作成する処理は、まず、目盛作成部２７が読取条件生成部２６より読取条件を呼び出し、この読取条件から、校正指示画像データ５を得た際の解像度と、拡大率又は縮小率を取得する（Ｓ１１１）。
【００６８】
目盛作成部２７は、解像度から、所定寸法に対応する画素数を導く。例えば、所定寸法を１インチ、解像度が３００ｄｐｉとすれば、３００という値が得られる。次に、拡大率又は縮小率から作成する目盛データ６の間隔を得る。例えば、縮小率が２０％であれば、３００という値に２０％を掛けて６０という値を得る。この６０という値によって、目盛作成部２７は、読み取られた校正指示画像データ５の画素６０個毎に目盛データ６を作成し、この目盛間隔が１インチを表すと規定する。これによって、出力された校正指示画像の実寸法を光電変換で得られた校正指示画像データ５の寸法に換算した縮尺の目盛データ６が校正指示画像データ５に作成され、目盛付校正指示画像データ７が生成される（Ｓ１１２）
【００６９】
生成された目盛付校正指示画像データ７は、送受信部２１に渡され、送受信部２１により校正側端末１に送信される（Ｓ１１３）。そして、校正側端末１にて目盛付校正指示画像データ７に基づき画像編集等が行われ、カンプ用画像データが作成される。これを校了まで繰り返す。
【００７０】
このように、校正指示画像が光電変換された際の解像度と拡大率又は縮尺率に基づいた拡大又は縮尺の目盛データ６を校正指示画像データ７に作成することで、校正指示画像の実寸法が認識でき、適切に校正指示を把握することができる。絵柄校正による画像内の絵柄の大きさの校正指示などには、特に好適である。また、この目盛データ６を座標代わりに使用することにより修正位置の特定が容易である。
【００７１】
ＤＣＰ用途における校正システムは、印刷用画像データが校正側端末１より直接校正制御装置２に送信される場合には、上述のカンプ用画像データにおける工程と同様である。また、印刷用画像データが校正側端末１からＣＴＰ用ＲＩＰを経由して校正制御装置２に送信される場合には、上述のカンプ用画像データにおける工程からＲＩＰ処理を省き、同様の工程がなされる。
【００７２】
尚、校正処理プログラムは、制御装置２に読み取り可能な記憶媒体に記憶し、制御装置に読み取らせるようにする、若しくはＨＤＤ内にインストールするようにしてもよく、記憶媒体の具体例としては、例えばＲＯＭ、ＲＡＭ、フラッシュメモリ等の半導体メモリ、並びに、集積回路等のメモリ装置、光ディスク、光磁気ディスク（ＣＤ−ＲＯＭ／ＤＶＤ−ＲＡＭ／ＤＶＤ−ＲＯＭ／ＭＯ等）、磁気記憶媒体＜磁気ディスク＞（ハードディスク／フロッピー（登録商標）ディスク／ＺＩＰ等）等を挙げることができる。
【００７３】
以上に説明した本実施形態における校正システムは、本発明の好適な一実施形態を例示したものであり、その他の実施形態を除外するものではない。例えば、本実施形態においては、多値の網点化を行うことが可能な画像形成装置として、通常のＣＭＹＫインクの他に色材濃度の低いフォトインクを用いたり、インクの吐出量を変化させたりして、１つの画素を多階調にて表現するインクジェットプリンタ等を用いることにしても良い。
【図面の簡単な説明】
【００７４】
【図１】本実施形態に係る校正システムの一実施形態における全体構成を表す構成図である。
【図２】図１に示す校正制御装置の詳細構成を表す機能ブロック図である。
【図３】図１に示す校正システムにおいて行われる印刷製版業務の一連の流れについて説明するためのフローチャートである。
【図４】本実施形態における校正指示画像の説明図である。
【図５】本実施形態おいて校正側端末に送信される目盛付校正指示画像を示す図である。
【符号の説明】
【００７５】
１    校正側端末
２    制御装置
２１  送受信部
２２  画像データ保存部
２３  ＲＩＰ処理部
２４  網点基準データ記憶部
２５  網点化部
２６  読取条件生成部
２７  目盛作成部
３    カラーレーザプリンタ
３１  出力部
３２  変換部
４    ＣＴＰ用ＲＩＰ
５    校正指示画像データ
６    目盛データ
７    目盛付校正指示画像データ
【図１】
2006054664.tif 000003
【図２】
2006054664.tif 000004
【図３】
2006054664.tif 000005
【図４】
2006054664.tif 000006
【図５】
2006054664.tif 000007